(57)【要約】【課題】本発明は画像表示装置とその駆動方法に関する。【解決手段】本発明による画像表示装置は画像信号に対応されるデータ電流を伝達する複数のデータ線Ｄ１・・・Ｄｍ、前記データ線Ｄ１・・・Ｄｍと交差するように形成され、選択信号を伝達する複数の走査線Ｓ１・・・Ｓｍ、前記選択信号に応答して前記データ電流に対応される画像を表現する複数の画素回路１０、及び前記データ線Ｄ１・・・Ｄｍにプリチャージ電圧を印加するためのプリチャージ駆動部５００を含み、前記プリチャージ駆動部５００は前記データ電流に対応して前記プリチャージ電圧を変化させる。【選択図】図１
2005141195.tif 000002
【特許請求の範囲】
【請求項１】
画像信号に対応するデータ電流を伝達する複数のデータ線と、
前記データ線と交差するように形成され、選択信号を伝達する複数の走査線と、
前記選択信号に応答して前記データ電流に対応する画像を表現する複数の画素回路と、
前記データ線にプリチャージ電圧を印加するためのプリチャージ駆動部とを含み、
前記プリチャージ駆動部は前記データ電流に対応して前記プリチャージ電圧を変化させることを特徴とする画像表示装置。
【請求項２】
前記プリチャージ駆動部は前記データ電流が前記データ線に印加される前に前記プリチャージ電圧を印加することを特徴とする請求項１に記載の画像表示装置。
【請求項３】
前記プリチャージ駆動部は移転走査線に選択信号が印加された後、前記画素回路の走査線に選択信号が印加される前に前記プリチャージ電圧を当該画素回路のデータ線に印加することを特徴とする請求項１に記載の画像表示装置。
【請求項４】
前記画素回路は、
印加される電流の量に対応して画像を表示する表示素子と、
第１電極、第２電極、及び第３電極を備え、前記第１電極と前記第２電極間の電圧差によって前記第２電極から前記第３電極に流れる電流を制御する駆動トランジスタと、
前記選択信号に応答して前記データ線に印加される前記データ電流を前記駆動トランジスタの前記第１電極に伝達する第１スイッチング素子と、
前記選択信号に応答して前記駆動トランジスタをダイオード形態で連結する第２スイッチング素子と、
前記駆動トランジスタの前記第１電極及び前記第２電極間に接続され、前記データ電流に対応する電圧を記憶するキャパシターと、
を有することを特徴とする請求項１に記載の画像表示装置。
【請求項５】
前記駆動トランジスタはＰタイプのトランジスタであり、前記プリチャージ電圧は前記データ電流の大きさに反比例することを特徴とする請求項４に記載の画像表示装置。
【請求項６】
前記駆動トランジスタはＮタイプのトランジスタであり、前記プリチャージ電圧は前記データ電流の大きさに比例することを特徴とする請求項４に記載の画像表示装置。
【請求項７】
前記第１及び第２スイッチング素子は前記駆動トランジスタと同じタイプのトランジスタで実現したことを特徴とする請求項４に記載の画像表示装置。
【請求項８】
前記プリチャージ駆動部はプリチャージ電圧源、及び前記プリチャージ電圧源と前記データ線の間に接続するスイッチング素子を含むことを特徴とする請求項１に記載の画像表示装置。
【請求項９】
前記プリチャージ電圧源は、
前記画像信号に対応するデータを順次に移動させるシフトレジスタと、
前記シフトレジスタから伝送されたデータを記憶するラッチと、
前記ラッチに記憶されたデータを対応するアナログ電圧に変換するディジタル／アナログコンバータと、
を有することを特徴とする請求項８に記載の画像表示装置。
【請求項１０】
互いに交差して配列される複数の走査線及び複数のデータ線と、前記走査線に印加する選択信号に応答して前記データ線に印加するデータ電流によって画像を表示する複数の画素回路を含む画像表示装置において、
画像信号に対応するデータ電流を前記データ線に印加するためのデータ駆動部と、
前記走査線に前記選択信号を供給するための走査駆動部と、
前記画像信号に対応するプリチャージ電圧を前記データ線に印加するためのプリチャージ駆動部と、
を有することを特徴とする画像表示装置。
【請求項１１】
前記プリチャージ駆動部は前記データ電流が前記データ線に印加される前に前記プリチャージ電圧を印加することを特徴とする請求項１０に記載の画像表示装置。
【請求項１２】
前記プリチャージ駆動部は
前記画像信号を順次に移動させて記憶するシフトレジスタと、
前記シフトレジスタから伝送されたデータを記憶するラッチと、
前記ラッチに記憶されたデータを対応するアナログ電圧に変化するディジタル／アナログコンバータとを含む電圧分配器で実現したことを特徴とする請求項１０に記載の画像表示装置。
【請求項１３】
画像信号を伝達する複数のデータ線、選択信号を伝達する複数の走査線、及び前記データ線及び前記走査線に電気的に接続する複数の画素回路を含む画像表示装置の駆動方法において、
第１期間の間プリチャージ電圧を前記データ線に印加する段階と、
第２期間の間前記走査線からの選択信号に応答して前記データ線からのデータ電流を前記画素回路に伝達する段階とを含み、
前記プリチャージ電圧は互いに異なるデータ電流が印加される少なくとも二つのデータ線に対して互いに異なるレベルを有するように設定されることを特徴とする画像表示装置の駆動方法。
【請求項１４】
前記画素回路は、
印加する電流の量に対応して画像を表示する表示素子と、
第１電極、第２電極、及び第３電極を備え、前記第１電極と前記第２電極間の電圧差によって前記第２電極から前記第３電極に流れる電流を制御する駆動トランジスタと、
前記選択信号に応答して前記データ線に印加する前記データ電流を前記駆動トランジスタの前記第１電極に伝達する第１スイッチング素子と、
前記選択信号に応答して前記駆動トランジスタをダイオード形態で接続する第２スイッチング素子と、
前記駆動トランジスタの前記第１電極及び前記第２電極間に接続され、前記データ電流に対応する電圧を記憶するキャパシターと、
を有することを特徴とする請求項１３に記載の画像表示装置の駆動方法。
【請求項１５】
前記駆動トランジスタはＰタイプのトランジスタであり、前記データ線に印加するプリチャージ電圧は前記データ電流に反比例することを特徴とする請求項１４に記載の画像表示装置の駆動方法。
【請求項１６】
前記駆動トランジスタはＮタイプのトランジスタであり、前記データ線に印加するプリチャージ電圧は前記データ電流に比例することを特徴とする請求項１４に記載の画像表示装置の駆動方法。
【発明の詳細な説明】
【技術分野】
【０００１】
本発明は画像表示装置とその駆動方法に関し、特に有機電界発光（以下、有機ＥＬという）表示装置の駆動方法に関する。
【背景技術】
【０００２】
一般に有機ＥＬ表示装置は蛍光性有機化合物を電気的に励起させ発光させる表示装置として、Ｎ×Ｍ個の有機発光セルを電圧記入或いは電流記入して映像を表現する。このような有機発光セルは図６に示すようにアノード、有機薄膜、カソードレーヤーの構造を有している。有機薄膜は電子と正孔の均衡を良くして発光効率を向上させるために発光層（ＥＭＬ）、電子輸送層（ＥＴＬ）、及び正孔輸送層（ＨＴＬ）を含んだ多層構造からなり、また、別途の電子注入層（ＥＩＬ）と正孔注入層（ＨＩＬ）を含んでいる。
【０００３】
このように構成する有機発光セルを駆動する方式には単純マトリックス（パッシブマトリックス）方式と薄膜トランジスタ（ＴＦＴ）を用いた能動駆動（アクティブマトリックス）方式がある。単純マトリックス方式は正極と負極を直交するように形成してラインを選択して駆動することに比べて、能動駆動方式は薄膜トランジスタとキャパシターを各ＩＴＯ（インジウム錫酸化物）画素電極に接続してキャパシター容量によって電圧を維持するようにする駆動方式である。この時、キャパシターに電圧を維持させるために印加する信号の形態によって能動駆動方式は電圧記入方式と電流記入方式に分けられる。
【０００４】
従来の電圧記入方式画素回路では製造工程の不均一性によって生じる薄膜トランジスタの敷居電圧（ＶＴＨ）及び電子移動度の偏差によって輝度分解能の高い階調を得難いという問題点がある。例えば、３Ｖで画素の薄膜トランジスタを駆動する場合、８ビット２５６階調を表現するためには１２ｍＶ（＝３Ｖ／２５６）以下の間隔で薄膜トランジスタのゲート電圧を制御する必要があるが、もし、製造工程の不均一による薄膜トランジスタのしきい電圧偏差が１００ｍＶである場合には高階調を表現するのは難しくなる。
【０００５】
これに反して電流記入方式の画素回路は画素回路に電流を供給する電流源がパネル全体を通じて均一だとすれば各画素内の駆動トランジスタが不均一な電圧−電流特性を有する場合でも均一な表示特性を得ることができる。
【０００６】
図７は従来の電流記入方式の画素回路を示したものである。図７に示すように、従来の電流記入方式の画素回路はトランジスタＭ１、Ｍ２、Ｍ３、Ｍ４及びキャパシターＣ１を含む。
【０００７】
トランジスタＭ１のソースは電源ＶＤＤに接続され、トランジスタＭ１のソースとゲート間にはキャパシターＣ１が接続される。トランジスタＭ２の電流通路はトランジスタＭ１のドレインと有機ＥＬ素子ＯＬＥＤのアノードの間に接続され、発光走査線Ｅｎに印加する選択信号に応答してトランジスタＭ１に流れる電流を有機ＥＬ素子ＯＬＥＤに伝達する。
【０００８】
トランジスタＭ３は、データ線ＤｍとトランジスタＭ１のゲートとの間に接続され、選択走査線Ｓｎに印加する選択信号に応答して、データ線上のデータ電流をトランジスタＭ１のゲートに伝達する。この時、データ電流は、十分な大きさの電流がトランジスタＭ１のドレーンに流れる時までに、トランジスタＭ１のゲートに到達させる。
【０００９】
トランジスタＭ４は走査線Ｓｎに印加する選択信号に応答してトランジスタＭ１をダイオード連結させる。このような構成にすれば、有機ＥＬ素子ＯＬＥＤにはデータ電流と同じ量の電流が流れるようになり、有機ＥＬ素子ＯＬＥＤはデータ電流に対応して発光する。
【００１０】
このような従来の電流記入方式の画素回路は電圧記入方式の画素回路に比べて有機ＥＬ素子ＯＬＥＤに流れる電流がパネル全体に均一な特性を有するという長所があるが、データ記入時間が長く掛かる問題がある。
【００１１】
電流記入方式の画素回路におけるデータ記入時間は、図８に示すように、移転画素ラインのデータ電流によってデータ線の寄生キャパシタンスに記憶された電圧状態に影響を受け、特に、データ線の電圧状態が目標電圧（現在データに相当する電圧）と差の大きい場合にデータ記入時間がさらに長くなる。このような形状は階調レベルが低い（ブラック近く）場合、小さい電流にデータ線電圧を大きい電圧範囲に変化させなければならないので、更に目立つようになる。
【発明の開示】
【発明が解決しようとする課題】
【００１２】
本発明が目的とする技術的課題は、電流記入方式の画素回路においてデータ記入時間を短縮できる駆動方法を提供するものである。  
また、画像表示装置の表示パネルにおいてデータ線を正確にプリチャージすることができる駆動方法を提供するものである。
【課題を解決するための手段】
【００１３】
前記課題を達成するために、本発明の一つの特徴による画像表示装置は画像信号に対応するデータ電流を伝達する複数のデータ線；前記データ線と交差するように形成され、選択信号を伝達する複数の走査線；前記選択信号に応答して前記データ電流に対応する画像を表現する複数の画素回路；及び前記データ線にプリチャージ電圧を印加するためのプリチャージ駆動部を含み、前記プリチャージ駆動部は前記データ電流に対応して前記プリチャージ電圧を変化させる。
【００１４】
本発明の一つの特徴による画像表示装置において、前記プリチャージ駆動部は前記データ電流が前記データ線に印加される前に前記プリチャージ電圧を印加する。本発明の一つの特徴による画像表示装置において、前記プリチャージ駆動部は直前の走査線に選択信号が印加された後、当該画素回路の走査線に選択信号が印加される前に前記プリチャージ電圧を前記当該画素回路のデータ線に印加する。
【００１５】
本発明の一つの特徴による画像表示装置において、前記画素回路は印加する電流の量に対応して画像を表示する表示素子、第１電極、第２電極、及び第３電極を備え、前記第１電極と前記第２電極間の電圧差によって前記第２電極から前記第３電極に流れる電流を制御する駆動トランジスタ、前記選択信号に応答して前記データ線に印加する前記データ電流を前記駆動トランジスタの前記第１電極に伝達する第１スイッチング素子、前記選択信号に応答して前記駆動トランジスタをダイオード形態で連結する第２スイッチング素子、及び前記駆動トランジスタの前記第１電極及び前記第２電極の間に接続され、前記データ電流に対応する電圧を貯蔵するキャパシターを含む。
【００１６】
本発明の一つの特徴による画像表示装置において、前記駆動トランジスタはＰタイプのトランジスタであり、前記プリチャージ電圧は前記データ電流の大きさに反比例する。本発明の一つの特徴による画像表示装置において、前記駆動トランジスタはＮタイプのトランジスタであり、前記プリチャージ電圧は前記データ電流の大きさに比例する。本発明の一つの特徴による画像表示装置において、前記プリチャージ駆動部はプリチャージ電圧源、及び前記プリチャージ電圧源と前記データ線の間に接続するスイッチング素子を含む。本発明の一つの特徴による画像表示装置において、前記プリチャージ電圧源は前記画像信号に対応するデータを順次に移動させるシフトレジスタ、前記シフトレジスタから伝送されたデータを貯蔵するラッチ、及び前記ラッチに貯蔵されたデータを対応するアナログ電圧に変換するディジタル／アナログコンバータを含む。
【００１７】
本発明の他の特徴による画像表示装置は互いに交差して配列される複数の走査線及び複数のデータ線と、前記走査線に印加する選択信号に応答して前記データ線に印加されるデータ電流によって画像を表示する複数の画素回路を含む画像表示装置として、画像信号に対応するデータ電流を前記データ線に印加するためのデータ駆動部；前記走査線に前記選択信号を供給するための走査駆動部；及び前記画像信号に対応するプリチャージ電圧を前記データ線に印加するためのプリチャージ駆動部を含む。
【００１８】
本発明の一つの特徴による画像表示装置の駆動方法は画像信号を伝達する複数のデータ線、選択信号を伝達する複数の走査線、及び前記データ線及び前記走査線に電気的に接続する複数の画素回路を含む画像表示装置の駆動方法として、第１期間の間プリチャージ電圧を前記データ線に印加する段階；及び第２期間の間前記走査線からの選択信号に応答して前記データ線からのデータ電流を前記画素回路に伝達する段階を含み、前記プリチャージ電圧は互いに異なるデータ電流が印加される少なくとも二つのデータ線に対して互いに異なるレベルを有するように設定する。
【発明の効果】
【００１９】
本発明によると、電流記入方式の画素回路にプリチャージ電圧を印加することによってデータ記入時間を短縮させることができる。  
また、データ電流によるプリチャージ電圧を利用してデータ線を正確にプリチャージすることができ、全ての階調レベルにおけるデータ電流を画素選択時間の範囲内に記入できる。
【発明を実施するための最良の形態】
【００２０】
以下、本発明の実施例を図面を参照して詳細に説明する。
【００２１】
以下の説明で、或る部分が他の部分と連結されているという時、これは直接的に連結されている場合のみだけでなくその中間に他の素子を隔てて電気的に連結（接続）されている場合も含む。また、図面から本発明と関係ない部分は本発明の説明を明確にするために省略し、明細書の全体を通じて類似した部分については同じ図面符号を付けた。また、文中、“ＡとＢが比例する”とは“Ａが増減すれば、Ｂも同様に増減する”の意であり、“ＡとＢが反比例する”とは“Ａが増減すれば、Ｂは反対に減少または増加する”の意である。
【００２２】
図１は本発明の一実施例による画像表示装置を概略的に示したものである。図１に示すように、本発明の一実施例による画像表示装置は有機ＥＬ表示パネル１００（以下、表示パネルという）、データ駆動部２００、走査駆動部３００、発光駆動部４００、及びプリチャージ駆動部５００を含む。
【００２３】
表示パネル１００は縦方向に伸びている複数のデータ線Ｄ１−Ｄｍ、横方向に伸びている複数の選択走査線Ｓ１−Ｓｎ、発光走査線Ｅ１−Ｅｎ、及び複数の画素回路１０を含む。データ線Ｄ１−Ｄｍは画像信号を示すデータ電流を画素回路１０に伝達し、選択走査線Ｓ１−Ｓｎは選択信号を画素回路１０に伝達し、発光走査線Ｅ１−Ｅｎは発光信号を画素回路１０に伝達する。画素回路１０は隣接した二つのデータ線と隣接した二つの選択走査線によって定義される画素領域に形成されている。
【００２４】
データ駆動部２００はデータ線Ｄ１−Ｄｍにデータ電流を印加し、走査駆動部３００と発光駆動部４００は選択走査線Ｓ１−Ｓｎ及び発光走査線Ｅ１−Ｅｎに各々選択信号及び発光信号を順次に印加する。
【００２５】
プリチャージ駆動部５００は、データ電流が印加される前に、プリチャージ電圧をデータ電流に応じて予め変化させて、プリチャージ電圧をデータ線Ｄ１−Ｄｍに印加する。
【００２６】
データ駆動部２００、走査駆動部３００、発光駆動部４００、及び／またはプリチャージ駆動部５００は表示パネル１００に電気的に接続され、表示パネル１００に接着されて電気的に接続されているテープキャリアパッケージ（ＴＣＰ）にチップなどの形態で装着できる。または表示パネル１００に接着されて電気的に接続されている可撓性印刷回路（ＦＰＣ）またはフィルムなどにチップなどの形態で装着されることもできる。これとは異なってデータ駆動部２００、走査駆動部３００、発光駆動部４００、及び／またはプリチャージ駆動部５００は表示パネルのガラス基板上に直接装着することもできる。また、ガラスの基板上に信号線、データ線及び薄膜トランジスタと同じ層などで形成している駆動回路と代替することもできる。
【００２７】
図２は図７に示された従来型画素回路に本発明の一実施例によるプリチャージ方法を適用した実施例を示したもので、図３は図２の画素回路を駆動するための駆動波形図である。図２では説明の便宜上のｍ番目のデータ線Ｄｍとｎ番目の走査線Ｓｎ、Ｅｎに接続された画素回路と、ｍ番目のデータ線Ｄｍに接続されたプリチャージ駆動部５０だけを示した。また、スイッチング素子ＳＷ１は印加する制御信号Ｓｍがハイレベルである時、導通するものと仮定する。
【００２８】
以下、図２及び図３を参照して本発明の一実施例による駆動方法を説明する。但し、図２は従来の代表的な画素回路に本発明の概念を適用したものであり、図２に示された画素回路は図７に示された画素回路（前述）と実質的に同じものであるから、ここでは画素回路に対する具体的な説明は省略する。
【００２９】
先ず、データ線Ｄｍでデータ電流を供給するデータ記入動作が始まる前にデータ記入時間を減少させるためのプリチャージ動作が遂行される。
【００３０】
図３に示すように、プリチャージのためのハイレベルの制御信号がスイッチング素子ＳＷ１に印加されると、スイッチング素子ＳＷ１が導通し、プリチャージ電圧Ｖｐｒｅがデータ線Ｄｍに印加される。
【００３１】
この時、印加されるプリチャージ電圧Ｖｐｒｅは、データ線Ｄｍに印加するデータ電流の予定値によって適切な電圧に設定され、このようなプリチャージ電圧値については後述する。
【００３２】
次に、スイッチング素子ＳＷ１は遮断され、走査線Ｓｎに印加する選択信号がローレベルになって、トランジスタＭ３、Ｍ４が導通する。従って、トランジスタＭ１がダイオード連結状態になって、データ線Ｄｍからのデータ電流に対応する近似電圧がキャパシターＣ１に充電されて、データ記入動作が遂行される。この時、データ線Ｄｍにはプリチャージ電圧Ｖｐｒｅによって近似電圧が充電されているので、キャパシターＣ１はデータ電流に相当する電圧まで急速に充電される。
【００３３】
データ電流の記入が完了すると、トランジスタＭ３、Ｍ４が遮断され、走査線Ｅｎから印加される発光信号に応答してトランジスタＭ２が導通する。この場合、トランジスタＭ２を通じてデータ電流が有機ＥＬ素子ＯＬＥＤに供給され、この電流に対応して有機ＥＬ素子ＯＬＥＤが発光する。
【００３４】
このように、電圧プリチャージ後、データ記入動作が遂行されることによって、データ電流による電圧充電が速かに行われてより正確な階調表現をすることができる。
【００３５】
以上では本発明の概念が図２に示された特定画素回路に適用された場合を説明したが、本発明の本質が図２に示された画素回路に限定されることはなく、データ記入時間が問題になる全ての電流記入方式の画素回路に本発明の概念をそのまま利用して適用することができる。
【００３６】
特に、図２で駆動トランジスタＭ１は第１電極、第２電極、及び第３電極を備え、第１電極に印加される電圧によって第２電極から第３電極に流れる電流を制御する特徴を有する全ての能動素子に適用できる。また、図２では駆動トランジスタＭ１がＰタイプ（型）のチャネルを有するトランジスタで実現された場合を示したが、実施例に従って、駆動トランジスタＭ１をＮタイプ（型）のチャネルを有するトランジスタで実現することができる。更に、トランジスタＭ２、Ｍ３、Ｍ４はゲートに印加される信号に応答して接続された両端を連結するためのものとして、各種形態のスイッチング素子で実現できる。
【００３７】
以下、本発明の一実施例によるプリチャージ電圧設定方法について説明する。電流記入画素回路において、データ記入時間は、当該走査線Ｓｎが直前走査線に連結された画素回路に記入したデータ電流によるデータ線電圧状態によって変化する。
【００３８】
駆動トランジスタＭ１が、図２に示すように、Ｐチャネルトランジスタであれば、多量のデータ電流を有機ＥＬ素子ＯＬＥＤに流すためには駆動トランジスタＭ１のゲートに印加する電圧を低くするべきであり、反対に、少量のデータ電流を有機ＥＬ素子ＯＬＥＤに流すためには駆動トランジスタＭ１のゲート電圧を高くするべきである。
【００３９】
従って、この実施例によるプリチャージ駆動部５００は、図４に示すように、データ電流に反比例するプリチャージ電圧Ｖｐｒｅをデータ線Ｄｍに印加することによって、全ての階調レベルのデータ電流が画素選択時間以内に記入できるようにする。
【００４０】
これと反対に、駆動トランジスタＭ１がＮチャネルトランジスタであれば、駆動トランジスタＭ１のゲートに印加する電圧は有機ＥＬ素子ＯＬＥＤに流れるデータ電流に比例する。従って、この場合にプリチャージ駆動部はプリチャージ電圧Ｖｐｒｅをデータ電流Ｉｄａｔａに比例する電圧レベルに設定する。
【００４１】
図５は本発明の一実施例によるプリチャージ電圧を生成するための装置を示したものである。図５に示すように、本発明の一実施例によるプリチャージ電圧生成装置はシフトレジスタ５１、ラッチ５２、Ｄ／Ａコンバータ５３、及び出力端５４を含む。
【００４２】
シフトレジスタ５１は入力されるクロック信号ＣＬＫによってデジタル画像信号を順次に移動させてラッチ５２に送る。Ｄ／Ａコンバータ５３はデジタル画像信号とアナログ電圧と間の対応マトリックスを備え、ラッチ５３から印加される画像信号を対応する電圧に変換する。このような画像信号は出力端５４によってプリチャージ電圧として出力される。
【００４３】
これにより、画像信号によって異なるプリチャージ電圧を画素回路に印加することができ、結果的にデータ電流に比例または反比例するプリチャージ電圧をプリチャージ駆動部５００に印加することができる。
【００４４】
図５に示されたプリチャージ電圧生成装置は現在用いられている一つの装置を示したものであって、この他に様々な装置を利用して所望のプリチャージ電圧を生成することができる。
【００４５】
以上に本発明の一実施例による画像表示装置と画像表示装置の駆動方法について説明した。これは本発明の概念が最適に適用された実施例に対するものとして本発明の概念が前記実施例に限定されるものではなく、本発明の概念をそのまま利用して多様に変形された実施例を構成することができる。
【００４６】
変形例を挙げると、プリチャージ電圧が全てのデータ電流によって変化させられるべきものではなく、データ電流のうちの一部範囲に含まれる電流のみがプリチャージ電圧を変化できるような機能を有する場合も考えられる。
【図面の簡単な説明】
【００４７】
【図１】本発明の一実施例による画像表示装置を概略的に示したものである。
【図２】図１に示された画素回路に本発明の一実施例によるプリチャージ方法が適用された実施例を示したものである。
【図３】図２に示された画素回路を駆動するための駆動波形図である。
【図４】データ電流に応じて予め変化するプリチャージ電圧を本発明の一実施例に従って示した波形図である。
【図５】本発明の一実施例によるプリチャージ電圧生成装置を示したものである。
【図６】有機電界発光素子の概念図である。
【図７】従来の電流記入方式の画素回路を示したものである。
【図８】画像表示装置において直前走査線に連結された画素に記入したデータによる階調別データ記入時間変化を示したグラフである。
【符号の説明】
【００４８】
１００  有機ＥＬ表示パネル
２００  データ駆動部
３００  走査駆動部
４００  発光駆動部  
５００  プリチャージ駆動部
【図１】
2005141195.tif 000003
【図２】
2005141195.tif 000004
【図３】
2005141195.tif 000005
【図４】
2005141195.tif 000006
【図５】
2005141195.tif 000007
【図６】
2005141195.tif 000008
【図７】
2005141195.tif 000009
【図８】
2005141195.tif 000010